(57)【特許請求の範囲】
【請求項１】
土壌を袋体の内部に封入した植物栽培用土のうであって、袋体に備えさせる植物植え付け用の口の内方が貫根性のポケットになっていることを特徴とする植物栽培用土のう。
【発明の詳細な説明】
【０００１】
【発明の属する技術分野】
本発明は、植物栽培用土のうに関する。
【０００２】
【従来の技術】
土壌を袋体の内部に封入した土のうを用い、この土のうに植物を植え付けて栽培する方法がある。この方法では、種子や苗を内部の土壌に植え付けるために、土のうの袋体に切込みを入れたり、開口部を形成することが行われる。
【０００３】
【発明が解決しようとする課題】
しかしながら、土のうの袋体に切込みや開口部を形成して植物を植え付けると、水やりを繰り返し行ううち、袋体内部の土壌がその切込みや開口部を通じて徐々に外に出ていってしまい、袋体内の土壌の量が減っていくといういやな問題があった。
【０００４】
本発明は、上記のような問題点に鑑み、植物を植え付ける口が備えられ、しかも、内部の土壌が外に出ていってしまうことのない植物栽培用土のうを提供することを課題とする。
【０００５】
【課題を解決するための手段】
上記の課題は、土壌を袋体の内部に封入した植物栽培用土のうであって、袋体に備えさせる植物植え付け用の口の内方が貫根性のポケットになっていることを特徴とする植物栽培用土のうによって解決される。
【０００６】
この土のうでは、袋体に備えさせる植物植え付け用の口を通じてポケット内に植物を植え付けることができる。しかも、口の内方はポケットになっているから、袋体内部の土壌が口を通じて外に出ていってしまうこともない。加えて、ポケットは貫根性のものであるから、植え付けた植物はこのポケットを貫いて内部の土壌に根を伸ばしていくことができる。
【０００７】
【発明の実施の形態】
次に、本発明の実施形態を図面に基づいて説明する。
【０００８】
図１に示す第１実施形態の土のう１において、２は袋体、３は土壌であり、土壌３は、袋体２の内部に収納されて外に出ないよう封入されている。そして、袋体２には、植物を植えるための口４…が設けられ、口４の内部はポケット５になっている。
【０００９】
ポケット５は、袋体２の袋壁を内向きに「ひ」の字状に折り曲げて形成されている。そして、この折り曲げ部分２ａの口の部分が縫合などにより所定の間隔おきに接合７され、これら接合部７…間に、予め、複数個の植物植え付け用口４…が形成されている。
【００１０】
袋体２は、内部の土壌３を外に出ないよう収納することができ、かつ、植物の根をその成長に伴って貫通させることのできる貫根性の素材、例えば、貫根性の不織布などを用いて形成されており、これにより、袋体２の袋壁折り曲げ部分２ａによって形成されたポケット５が、植物の根を貫通させることのできる貫根性ポケット５に形成されている。
【００１１】
上記の土のう１では、ポケット５を袋体２内の土壌３の中に突出させた状態にし、そして、植え付け用の口４を通じて植物８をポケット５内に入れることで、土のう１に植物８を植え付けることができる。植物は、苗であってもよいし、種子であってもよい。苗である場合は、苗の根の部分をそのまま口４を通じてポケット５内に入れてもよいし、根の部分に土を付けたまま口４を通じてポケット５内に入れるようにしてもよい。また、種子の場合には、そのままポケット５内に入れてもよいし、種子とともに土をポケット５内に入れるようにしてもよい。植え付け用の口４…が予め開放状態に備えられているから、この口４…を利用して植物８の植え付けを行っていくことができ、従来のように、植え付け作業において、土のうの袋体に切込みを入れたり、開口部を形成したりする必要がなく、植物８の植え付け作業を容易に行うことができる。しかも、口４の内方はポケット５になっているから、植物８の植え付け作業において、袋体２の内部の土壌３が外にこぼれ出てしまうこともない。また、ポケット５以外の袋体２部分も貫根性を有するから、ポケット５部分以外の部分にも、地被植物などを植え付けることもできる。
【００１２】
そして、植え付け後に水やりを繰り返していくうち、植物８は、その根８ａを次第に成長させていき、ポケット５の袋壁部分を貫いて、内部の土壌３の中へと伸びていく。植物８を植え付けた口４の内方はポケット５になっているから、水やりなどによって内部の土壌３が、口４…を通じて外に出ていってしまうことはなく、植物８を栽培していく過程で長きにわたって袋体２の内部の土壌３の量を適正量に維持することができる。
【００１３】
図２に示す第２実施形態の土のう１は、マット状に形成されており、植え付け用の口４…が水平二方向において形成されている。各口４…の内方がポケット５になっていることなどは、上記の実施形態の場合と同様である。この土のう１によれば、植物を平面的に広く植え付けていくことができる。
【００１４】
図３に示す第３実施形態の土のう１は、図３（イ−２）に示すように、ポケット５が、袋体２の袋壁を内向きに「ひ」の字状に折り曲げるようにすることで形成されており、この折り曲げ部分２ａの口の部分にテープ９が貼り付けられて口が閉じられている。そして、このテープ９には、口に沿うようにミシン目９ａが入れられており、図３（ロ−１）（ロ−２）に示すように、このミシン目９ａの部分を引き裂くことにより、植え付け用の口４…を開口させることができるようになっている。
【００１５】
この土のう１では、植物の種類や栽培者の好みに応じた位置に必要な大きさの口４を形成することができる。しかも、このように口４を形成しても、内部の土壌が外に出てしまうことがない。このように、本発明における植え付け用の口４は、第１、第２実施形態の土のうように、予め形成されているものであってもよいし、本実施形態のように、後から形成することができるものであってもよい。
【００１６】
以上に、本発明の実施形態を示したが、本発明はこれに限られるものではなく、発明思想を逸脱しない範囲で、各種の変更が可能である。例えば、袋体２内に収納する土壌３の種類に制限はなく、要は、植物が根をおろすことができ、しかも、袋体２に、ポケットのない口を切込みなどによって形成すると、その口を通じて外にこぼれ出してしまうような性質を有するものであればよい。また、上記の実施形態では、袋体２の全体を貫根性材料で構成し、その袋壁部分を利用して貫根性のポケット５を形成する場合を示しているが、袋体を不貫根性とし、この袋体２に貫根性のポケットを取り付けるようにしてもよい。要は、少なくともポケット５の部分が貫根性を有するものであればよい。また、袋体２を構成する素材の材質に制限はなく、不織布に限らず、各種材質の素材で作られていてよいし、ポケット５についても、貫根性を有する各種材質の素材で形成されていてよい。
【００１７】
【発明の効果】
上述の次第で、本発明の植物栽培用土のうは、以上のとおりのものであるから、植物を植え付ける口が備えられ、しかも、内部の土壌が外に出ていってしまうことがなく、加えて、植物は袋体内部の土壌の中に根を伸ばしていくことができる。
【図面の簡単な説明】
【図１】第１実施形態の土のうを示すもので、図（イ）は平面図、図（ロ）は図（イ）のＩ−Ｉ線断面図、図（ハ）は図（イ）のＩＩ−ＩＩ線断面図、図（ニ）は植物栽培中の土のうを示す断面図である。
【図２】第２実施形態の土のうを示すもので、図（イ）は平面図、図（ロ）は図（イ）のＩＩＩ−ＩＩＩ線断面図である。
【図３】第３実施形態の土のうを示すもので、図（イ−１）は使用前の土のうを示す平面図、図（イ−２）は図（イ−１）のＩＶ−ＩＶ線断面図、図（ロ−１）は植え付け用の口を形成した土のうを示す平面図、図（ロ−２）は図（ロ−１）のＶ−Ｖ線断面図である。
【符号の説明】
１…土のう
２…袋体
３…土壌
４…植え付け用の口
５…ポケット
【図１】
0004404377.tif 000002
【図２】
0004404377.tif 000003
【図３】
0004404377.tif 000004